(57)【要約】【課題】プラズマディスプレイ装置における意匠性への要求へ対応するため、飾り部品以外の取付け部品やビス等の締結部品を使用することなく意匠性に優れ強度の高いものを提供する。【解決手段】外郭部品である前カバー１０１の外周に金型内スライド工法にて爪を嵌合する機能を有する爪掛け溝部２０８と位置決め機能を有する凹部２０９を２箇所設け、また金属若しくは樹脂材料にて成形された意匠性を持った飾り板（横）１０５に、前記外郭部品と嵌合する機能を有する爪部２１０と位置決め機能を有する凸部２１１を２箇所設け、前記前カバー１０１の爪掛け溝部２０８と前記飾り板（横）１０５の爪部２１０と嵌合させ且つ、前記前カバー１０１の凹部２０９の２箇所と前記飾り板（横）１０５の凸部２１１の２箇所と嵌合させ一体的に連繁した構成にする。【選択図】図２
2005338566.tif 000002
【特許請求の範囲】
【請求項１】
外郭部品の外周に金型内スライド工法にて爪を嵌合する機能を有する溝形状部と位置決め機能を有する凹形状部２箇所を構成し、金属若しくは樹脂材料にて成形された飾り用部品に前記外郭部品と嵌合する機能を有する爪形状部と位置決め機能を有する凸形状部２箇所を構成し、前記外郭部品の溝形状部と前記飾り用部品の爪形状部と嵌合させ、且つ前記外郭部品の凹形状部２箇所と前記飾り用部品の凸形状部２箇所と嵌合させる構造とすることにより、前記外郭部品に設けた溝形状部による外郭部品の強度の低下を、前記外郭部品に設けた凹形状部２箇所に前記飾り用部品の凸形状部２箇所を橋渡し状に嵌合させることにより、取付け部材やビス等の締結部材を使用することなく補強し、且つ飾り部品としての機能を有することを特徴とするプラズマディスプレイ装置。
【請求項２】
外郭部品外周の内側面に、差し込み可能な機能を有する溝形状部と金型内スライド工法にて爪を嵌合する機能を有する溝形状部と位置決め機能を有する凹形状部を構成し、金属若しくは樹脂材料にて成形された飾り用部品に前記外郭部品と嵌合する機能を有する差し込み形状部と爪形状部と位置決め機能を有する凸形状部を構成し、前記外郭部品の差し込み用溝形状部と前記飾り用部品の差し込み形状部とを嵌合させた後、前記外郭部品の溝形状部と前記飾り用部品の爪形状部、及び前記外郭部品の凹形状部と前記飾り用部品の凸形状部と嵌合させることにより、前記外郭部品に設けた溝形状部による外郭部品の強度の低下を、前記外郭部品に設けた差し込み用溝部及び凹形状部と、前記飾り用部品の差し込み形状部及び凸形状部とを橋渡し状に嵌合させることにより、取付け部材やビス等の締結部材を使用することなく補強し、且つ飾り部品としての機能を有することを特徴とするプラズマディスプレイ装置。
【発明の詳細な説明】
【技術分野】
【０００１】
本発明は、プラズマディスプレイ装置に関するもので、とくにプラズマディスプレイ装置飾り装置とその筐体構造に関するものである。
【背景技術】
【０００２】
従来、シールド構造を改善することにより、安価にプラズマディスプレイ装置が得られるようにするものであった。（特許文献１参照）
図５はプラズマディスプレイテレビの三面図で、図５（ａ）は上面図、図５（ｂ）は側面図、図５（ｃ）は正面図である。また、図６には従来のプラズマプラズマディスプレイテレビ従来の構造を示し、図６（ａ）は側面から見た部品取り付け図、図６（ｂ）は側面図、図６（ｃ）は上面から見た部品取り付け図、図６（ｄ）は上面図、図６（ｅ）は背面図である。図６おいて、前面側に発光パネル２０１が配置されかつ背面側に発光パネル２０１に信号を印加して表示を行う回路基盤２０３が配置される金属製のベース２０２と、このベース２０２の回路基盤２０３が配置された背面側を覆うように配設した金属製の後カバー１０３と、この後カバー１０３とともに筐体を構成する前カバー１０１とを備え、ベース２０２の外周部にボス部２０７を設け、そのボス部２０７に後カバー１０３を接触させて取り付けることにより、前記ベース２０２の外周部と前記後カバー１０３の外周部とを機械的に接続したものである。
【特許文献１】特開２００４−６９８８８号公報
【発明の開示】
【発明が解決しようとする課題】
【０００３】
しかしながら、プラズマディスプレイ装置における意匠性への要求が厳しくなってきており、加飾機能を持たせた部品等の取付けによる高級化が必須となっているが、反面、市場の低コスト化への要求に対し、飾り部品の取付けに伴う部品形状の複雑化や取付け部品の増加に伴うコストの増加、またビスなどによる締結部品の増加に伴いサービス性が低下する場合を生じてきた。
【０００４】
本発明は、飾り部品以外の取付け部品やビス等の締結部品を使用することなくプラズマディスプレイの剛性の強化に対応し、尚且つ意匠性の向上を提供するものである。
【課題を解決するための手段】
【０００５】
本願第一の発明のプラズマディスプレイ装置は、外郭部品の外周に金型内スライド工法にて爪を嵌合する機能を有する溝形状部と位置決め機能を有する凹形状部２箇所を設け、また金属若しくは樹脂材料にて成形された飾り用部品に前記外郭部品と嵌合する機能を有する爪形状部と位置決め機能を有する凸形状部２箇所を設け、前記外郭部品の溝形状部と前記飾り用部品の爪形状部と嵌合させ且つ前記外郭部品の凹形状部２箇所と前記飾り用部品の凸形状部２箇所と嵌合させるものである。
【０００６】
本願第二の発明のプラズマディスプレイ装置は、外郭部品外周の内側面に、差し込み可能な機能を有する溝形状部と金型内スライド工法にて爪を嵌合する機能を有する溝形状部と位置決め機能を有する凹形状部を設け、また金属若しくは樹脂材料にて成形された飾り用部品に前記外郭部品と嵌合する機能を有する差し込み形状部と爪形状部と位置決め機能を有する凸形状部を設け、前記外郭部品の差し込み用溝形状部と前記飾り用部品の差し込み形状部とを嵌合させた後、前記外郭部品の溝形状部と前記飾り用部品の爪形状部及び前記外郭部品の凹形状部と前記飾り用部品の凸形状部と嵌合させるものである。
【発明の効果】
【０００７】
上記構成により、外郭部品に設けた溝形状部による外郭部品の強度の低下を、外郭部品に設けた差し込み用溝部及び凹形状部と飾り用部品の差し込み形状部や凸形状部とを橋渡し状に嵌合させることにより、取付け部材やビス等の締結部材を使用することなく剛性を高めることができるため、飾り部品のみでプラズマディスプレイの剛性の強化に対応し、尚且つ意匠性を向上することができる。
【発明を実施するための最良の形態】
【０００８】
以下本発明を実施するための最良の形態について、図面を参照しながら説明する。
【０００９】
（実施の形態１）
図１は、実施の形態１における外郭部品と飾り用部品を搭載したプラズマディスプレイテレビの概念の三面図を示し、図１（ａ）は上面図、図１（ｂ）は側面図、図１（ｃ）は正面図を示す。
【００１０】
図２は、本発明の外郭部品と飾り用部品を搭載したプラズマディスプレイテレビの内部構成図を示し、図２（ａ）は上面から見た部品取り付け図、図２（ｂ）は上面図、図２（ｃ）は背面図、図２（ｄ）は側面図、図２（ｅ）は側面から見た部品取り付け図、図２（ｆ）は図２（ｄ）の部分拡大図、図２（ｇ）は図２（ｅ）の部分拡大図である。
【００１１】
まず、外郭部品の構成について説明する。図２において、樹脂材料にて形成された外郭部品である前カバー１０１の外周に金型内スライド工法にて爪を嵌合する機能を有する爪掛け溝部２０８と位置決め機能を有する凹部２０９を２箇所設け、また金属若しくは樹脂材料にて成形された飾り用部品である飾り板（横）１０５に、上記外郭部品と嵌合する機能を有する爪部２１０と位置決め機能を有する凸部２１１を２箇所設け、上記前カバー１０１の爪掛け溝部２０８と上記飾り板（横）１０５の爪部２１０と嵌合させ且つ、上記前カバー１０１の凹部２０９の２箇所と上記飾り板（横）１０５の凸部２１１の２箇所と嵌合させる構成とした。
【００１２】
なお、爪掛け溝部２０８及び凹部２０９及び爪部２１０及び凸部２１１の形状は上記の方法の他に任意の構成でよい。また、爪掛け溝部２０８及び凹部２０９及び爪部２１０及び凸部２１１による取付け位置は、上記の方法以外の任意の位置でよい。
【００１３】
かかる構成により本発明の前カバー１０１の爪掛け溝部２０８による強度の低下を前カバー１０１に設けた凹部２０９の２箇所に上記飾り板（横）１０５の凸部２１１の２箇所を橋渡し状に嵌合させることにより一体的に連繁した構成となり前カバー１０１の爪掛け溝部２０８に付加される開き方向の力を抑制するため、取付け部材やビス等の締結部材を使用することなく剛性を高めることができる。また、飾り部品のみでプラズマディスプレイの剛性の強化に対応し、尚且つ意匠性を向上する。
【００１４】
（実施の形態２）
図３は、実施の形態２における外郭部品と飾り用部品を搭載したプラズマディスプレイテレビの外観の三面図を示し、図３（ａ）は上面図、図３（ｂ）は側面図、図３（ｃ）は正面図を示す。
【００１５】
図４は、本発明の外郭部品と飾り用部品を搭載したプラズマディスプレイテレビの内部構成図を示し、図４（ａ）は上面から見た部品取り付け図、図４（ｂ）は上面図、図４（ｃ）は背面図、図４（ｄ）は側面図、図４（ｅ）は側面から見た部品取り付け図、図４（ｆ）は図４（ｂ）の部分拡大図である。図３及び４において、実施の形態１と同じ部位は同じ番号を付し同様のものとし、重複する説明は適宜省略する。
【００１６】
本発明における実施の形態１との相違は、前カバー１０１に差し込み溝部４０１と飾り板（横）１０５に差し込み部４０２を設け、差し込み溝部４０１と差し込み部４０２を嵌合し仮固定した後、その嵌合部を回転中心としながら上記前カバー１０１の爪掛け溝部２０８と上記飾り板（横）１０５の爪部２１０と嵌合させ且つ上記前カバー１０１の凹部２０９と上記飾り板（横）１０５の凸部２１１と嵌合させる構成とした点である。
【００１７】
まず、外郭部品の構成について説明する。図４において、前カバー１０１に差し込み溝部４０１と飾り板（横）１０５に差し込み部４０２を設け、差し込み溝部４０１と差し込み部４０２を嵌合し仮固定した後、その嵌合部を回転中心としながら上記前カバー１０１の爪掛け溝部２０８と上記飾り板（横）１０５の爪部２１０と嵌合させ且つ上記前カバー１０１の凹部２０９と上記飾り板（横）１０５の凸部２１１と嵌合させる構成とした点である。
【００１８】
なお、爪掛け溝部２０８及び凹部２０９及び差し込み溝部４０１及び爪部２１０及び凸部２１１及び差し込み部４０２の形状は上記の方法の他に任意の構成でよい。また、爪掛け溝部２０８及び凹部２０９及び差し込み溝部４０１及び爪部２１０及び凸部２１１及び差し込み部４０２による取付け位置は、上記の方法以外の任意の位置でよい。
【００１９】
かかる構成により本発明の前カバー１０１の爪掛け溝部２０８による強度の低下を、前カバー１０１に設けた凹部２０９と差し込み溝部４０１に上記飾り板（横）１０５の凸部２１１と差し込み部４０２を橋渡し状に嵌合させることにより一体的に連繁した構成となり前カバー１０１の爪掛け溝部２０８に付加される開き方向の力を抑制するため、取付け部材やビス等の締結部材を使用することなく剛性を高めることができる。また、飾り部品のみでプラズマディスプレイの剛性の強化に対応し、尚且つ意匠性を向上する。
【産業上の利用可能性】
【００２０】
本発明にかかる映像表示装置は、設計の自由度が上がり、意匠性が上がり、装置の剛性が上がり、装置の簡素化の向上が可能であり、プラズマディスプレイ装置等の大型ディスプレイに有用である。
【図面の簡単な説明】
【００２１】
【図１】実施の形態１のプラズマディスプレイテレビの三面図
【図２】実施の形態１のプラズマディスプレイ装置の構成図
【図３】実施の形態２のプラズマディスプレイテレビの三面図
【図４】実施の形態２のプラズマディスプレイ装置の構成図
【図５】従来のプラズマディスプレイテレビの三面図
【図６】従来のプラズマディスプレイ装置の構成図
【符号の説明】
【００２２】
１０１    前カバー
１０２    前ガラス
１０３    後カバー
１０４    台
１０５    飾り板（横）
１０６    飾り板（上）
１０７    飾り板（下）
２０１    発光パネル
２０２    ベース
２０３    回路基盤
２０４    ブラケット
２０５    ビス
２０６    シールド（横）
２０７    ボス部
２０８    爪掛け溝部
２０９    凹部
２１０    爪部
２１１    凸部
２１２    穴部
２１３    爪部
２１４    爪部
２１５    シールド（上）
２１６    シールド（下）
２１７    シールド（底）
４０１    差し込み溝部
４０２    差し込み部
４０３    凸部
４０４    差し込み部
４０５    凸部
４０６    差し込み部
【図１】
2005338566.tif 000003
【図２】
2005338566.tif 000004
【図３】
2005338566.tif 000005
【図４】
2005338566.tif 000006
【図５】
2005338566.tif 000007
【図６】
2005338566.tif 000008